(57)【要約】【課題】  鼻孔用衛生具において、全体で鼻水を吸収できて吸水性能が長時間低下せず、両方の鼻孔に装着した場合でも装着者が息苦しくならず、快適に装着できること。【解決手段】  鼻孔用衛生具１をカプセル体２の上側を奥にして両方の鼻孔に装着すると、上半分２Ａが円錐台形状をしているため鼻孔の内壁から離れ、上半分２Ａの全体で鼻水を吸収できて吸水面積が広くなる。鼻孔の奥から流れてきた鼻水はメッシュ４の目からカプセル体２の内部に流れ込み、自重の約２５０倍から約３６０倍の量の水を吸収する大きな吸水能力がある粒状の合成高分子吸水剤５に吸収され、長時間に亘って吸水性能を維持できる。貫通孔３に鼻水が流れ込んでメッシュ４からカプセル体２の内部の粒状の合成高分子吸水剤５に吸収され、合成高分子吸水剤５が膨張した場合でも、カプセル体２の柔らかさの範囲内で多少貫通孔３が狭くなる程度で済み、貫通孔３が塞がれることはない。【選択図】        図１
2007068598.tif 000002
【特許請求の範囲】
【請求項１】
鼻孔に嵌め込むことができ、軸線方向に中心を貫通する貫通孔を有する柔らかい材料からなる外形が略弾丸形の中空のカプセル体と、
該カプセル体の中空の部分に収容された合成高分子吸水剤とを具備し、
前記カプセル体の少なくとも上半分は前記貫通孔の内壁も含めてメッシュが形成されていることを特徴とする鼻孔用衛生具。
【請求項２】
鼻孔に嵌め込むことができ、外周の縦方向に１または２以上の前記鼻孔の内壁との間に空間を生ずる縦溝を有する柔らかい材料からなる外形が略弾丸形のカプセル体と、
該カプセル体の内部に収容された合成高分子吸水剤とを具備し、
前記カプセル体の少なくとも上半分は前記縦溝も含めてメッシュが形成されていることを特徴とする鼻孔用衛生具。
【請求項３】
前記合成高分子吸水剤は前記メッシュの目よりも大きい粒状に形成されていることを特徴とする請求項１または請求項２に記載の鼻孔用衛生具。
【請求項４】
前記カプセル体は上下に二分割することができることを特徴とする請求項１乃至請求項３のいずれか１つに記載の鼻孔用衛生具。
【請求項５】
軸線方向に中心を貫通する貫通孔を有する柔らかい材料からなる外形が略弾丸形の中実の衛生具本体と、
前記貫通孔の内壁と前記衛生具本体の底面を除く前記衛生具本体の表面全体に接着された合成高分子吸水剤とを具備し、
前記合成高分子吸水剤が接着された状態で鼻孔に嵌め込むことができる外径を有することを特徴とする鼻孔用衛生具。
【請求項６】
前記カプセル体または前記衛生具本体の外周の一部には、前記カプセル体または前記衛生具本体の上端が前記鼻孔の奥まで入らないようにストッパーが設けられていることを特徴とする請求項１乃至請求項５のいずれか１つに記載の鼻孔用衛生具。
【請求項７】
前記合成高分子吸水剤は吸水性バイオポリマーからなることを特徴とする請求項１乃至請求項６のいずれか１つに記載の鼻孔用衛生具。
【請求項８】
前記カプセル体または前記衛生具本体はエラストマーからなることを特徴とする請求項１乃至請求項７のいずれか１つに記載の鼻孔用衛生具。
【請求項９】
前記カプセル体または前記衛生具本体は生分解性高分子材料からなることを特徴とする請求項１乃至請求項７のいずれか１つに記載の鼻孔用衛生具。
【請求項１０】
前記カプセル体または前記衛生具本体の少なくとも底面が黒色を始めとする明度の低い暗い色であることを特徴とする請求項１乃至請求項９のいずれか１つに記載の鼻孔用衛生具。
【発明の詳細な説明】
【技術分野】
【０００１】
本発明は、息苦しさを感ずることなく鼻孔から鼻水が外部に垂れることを確実に防止することができる鼻孔用衛生具に関するものである。
【背景技術】
【０００２】
風邪をひいた時や花粉症が原因で鼻孔から鼻水（鼻汁）が出る場合があるが、酷い鼻風邪や重度の花粉症の場合には頻繁に鼻水が出るため頻繁に鼻をかまねばならず、また鼻孔から鼻水が外部に垂れるのは見苦しいため、それを防ぐための鼻孔用衛生具が開発されている。かかる鼻孔用衛生具の例としては、特許文献１に記載の「鼻孔用衛生体」の考案等がある。この特許文献１に記載の鼻孔用衛生体においては、吸水材により略円柱形状に形成するとともにその軸線方向に少なくとも１つの貫通孔を設けたことを特徴としており、かかる鼻孔用衛生体を両方の鼻孔に詰めることによって、鼻水が出ても吸水材によって吸収されて垂れることを防止することができ、しかも少なくとも１つの貫通孔を設けたことによって両方の鼻孔に詰めても息苦しくならずに済むとしている。
【特許文献１】実開平６−３４６１９号公報
【発明の開示】
【発明が解決しようとする課題】
【０００３】
しかしながら、上記特許文献１においては、「なお、吸水材としては特に限定するものではないが、綿、ちり紙、吸水ポリマー、ナイロン繊維等の吸水性に優れたもので、使い捨てできるように安価に入手することができるものが好ましい。」と記載されているが、鼻水（鼻汁）は多かれ少なかれ粘性を有するものであり、これに対して特許文献１に記載された鼻孔用衛生体は略円柱形状に形成されているために、鼻孔に詰めた際に鼻孔用衛生体の側面は鼻孔内壁に密着し、略円柱形状の上表面からしか吸水性能を有さないものとなる。
【０００４】
したがって、綿、ちり紙、ナイロン繊維等を吸水材として用いた場合には上表面近傍のみで鼻水を吸収する能力を失ってしまい、後から出てくる鼻水は鼻孔用衛生体の貫通孔に流れ込んで、貫通孔内壁に吸収された後は吸収されなくなって鼻孔外へ流れ出てしまうか、鼻水の粘性が高い場合には貫通孔を塞いでしまう。
【０００５】
また、吸水ポリマー（合成高分子吸水剤）を吸水材として用いた場合には、上表面からある程度内部まで鼻水を吸収することができるが、吸水ポリマーは吸水すると膨張する性質を有するため、吸水性の低下した吸水ポリマーで上表面近傍が膨れ上がり、後から出てくる鼻水は鼻孔用衛生体の貫通孔に流れ込んで、貫通孔内壁を形成する吸水ポリマーが吸水して膨張し、やはり貫通孔を塞いでしまう。このため、どのような吸水材を用いて特許文献１に記載された鼻孔用衛生体を構成したとしても、両方の鼻孔に装着した場合には、装着者が息苦しくなるという問題点があった。
【０００６】
そこで、本発明は、全体で鼻水を吸収することができて吸水性能が長時間低下することがなく、両方の鼻孔に装着した場合でも装着者が息苦しくなることもなく、快適に装着することができる鼻孔用衛生具を提供することを課題とするものである。
【課題を解決するための手段】
【０００７】
請求項１の発明にかかる鼻孔用衛生具は、鼻孔に嵌め込むことができ、軸線方向に中心を貫通する貫通孔を有する柔らかい材料からなる外形が略弾丸形の中空のカプセル体と、該カプセル体の中空の部分に収容された合成高分子吸水剤とを具備し、前記カプセル体の少なくとも上半分は前記貫通孔の内壁も含めて内外に貫通するメッシュが形成されているものである。
【０００８】
上記カプセル体の中空の部分に収容された合成高分子吸水剤は、中空部分が完全にふさがることを意味するものではなく、吸水の結果によって中空部分が完全にふさがるか、ふさがる程度につめることを意味する。したがって、合成高分子吸水剤がカプセル体内を移動可能に収容してもよいし、カプセル体の内壁面に接合して固定しもよい。
【０００９】
請求項２の発明にかかる鼻孔用衛生具は、鼻孔に嵌め込むことができ、外周の縦方向に１または２以上の前記鼻孔の内壁との間に空間を生ずる縦溝を有する柔らかい材料からなる外形が略弾丸形のカプセル体と、該カプセル体の内部に収容された合成高分子吸水剤とを具備し、前記カプセル体の少なくとも上半分は前記縦溝も含めて内外に貫通するメッシュが形成されているものである。
【００１０】
請求項３の発明にかかる鼻孔用衛生具は、請求項１または請求項２の構成において、前記合成高分子吸水剤は前記内外に貫通するメッシュの目よりも大きい粒状に形成されているものである。
【００１１】
請求項４の発明にかかる鼻孔用衛生具は、請求項１乃至請求項３のいずれか１つの構成において、前記カプセル体は上下に二分割することができるものである。
【００１２】
請求項５の発明にかかる鼻孔用衛生具は、軸線方向に中心を貫通する貫通孔を有する柔らかい材料からなる外形が略弾丸形の中実の衛生具本体と、前記貫通孔の内壁と前記衛生具本体の底面を除く前記衛生具本体の表面全体に接着された合成高分子吸水剤とを具備し、前記合成高分子吸水剤が接着された状態で鼻孔に嵌め込むことができる外径を有するものである。
【００１３】
請求項６の発明にかかる鼻孔用衛生具は、請求項１乃至請求項５のいずれか１つの構成において、前記カプセル体または前記衛生具本体の外周の一部には、前記カプセル体または前記衛生具本体の上端が前記鼻孔の奥まで入らないようにストッパーが設けられているものである。
【００１４】
請求項７の発明にかかる鼻孔用衛生具は、請求項１乃至請求項６のいずれか１つの構成において、前記合成高分子吸水剤は吸水性バイオポリマーからなるものである。
【００１５】
ここで、「吸水性バイオポリマー」とは、微生物が生産する吸水性高分子であり、具体例としてはAlcaligenes latus Ｂ−１６株をフラクトース等を炭素源として培養すると、効率良く菌体外に吸水性のバイオポリマーを生産する。このうち、高分子量成分のバイオポリマーは、グルコース、ラムノース、フコース、グルクロン酸の４種類からなる多糖類であり、分子量は約５×１０9 という巨大な分子量を持つ。かかる吸水性バイオポリマーの吸水性能は自重の１０００倍から最高２０００倍の吸水能力があり、汎用の合成高分子吸水剤の５倍以上の吸水能力を有する。また、汎用の合成高分子吸水剤が食塩水中でその機能を大幅に低下させるのに対し、食塩水中でも自重の約５００倍の水を吸水する。さらに、生分解性があり、安全性に優れ、二次公害の恐れがない（「機能材料」１９９９年１０月号，２４頁〜３４頁，筆者・倉根隆一郎，野畑靖浩，発行所・（株）シーエムシー）。
【００１６】
請求項８の発明にかかる鼻孔用衛生具は、請求項１乃至請求項７のいずれか１つの構成において、前記カプセル体または前記衛生具本体はエラストマーからなるものである。
【００１７】
ここで、「エラストマー」とは、顕著な弾性を示す高分子物質であり、例えばシリコーンゴム等の合成ゴムや、架橋した天然ゴム等が含まれる。
【００１８】
請求項９の発明にかかる鼻孔用衛生具は、請求項１乃至請求項７のいずれか１つの構成において、前記カプセル体または前記衛生具本体は生分解性高分子材料からなるものである。
【００１９】
ここで、「生分解性高分子」とは、生体内で或いは微生物の作用により分解される高分子の総称であり、天然高分子と合成高分子とがある。生分解性天然高分子の例としては、コラーゲン，澱粉等の、たんぱく質や多糖類等があり、生分解性合成高分子の例としては、ポリグリコール酸，ポリ乳酸，ポリエチレンスクシナート等の脂肪族ポリエステルが挙げられる（「岩波理化学辞典（第５版）」７２９頁，長倉三郎・他編集，発行所・株式会社岩波書店）。
【００２０】
請求項１０の発明にかかる鼻孔用衛生具は、請求項１乃至請求項９のいずれか１つの構成において、前記カプセル体または前記衛生具本体の少なくとも底面が黒色を始めとする明度の低い暗い色であるものである。
【発明の効果】
【００２１】
請求項１の発明にかかる鼻孔用衛生具は、鼻孔に嵌め込むことができ、軸線方向に中心を貫通する貫通孔を有する柔らかい材料からなる外形が略弾丸形の中空のカプセル体と、カプセル体の中空の部分に収容された合成高分子吸水剤とを具備し、カプセル体の少なくとも上半分は貫通孔の内壁も含めて内外に貫通するメッシュが形成されている。
【００２２】
ここで、「略弾丸形」とは、弾丸に似た形状を意味するものであり、上半分が円錐形に近い形状や上半分が円錐台形に近い形状をも含むものである。また、内外に貫通するメッシュの目の形状としては、正方形・菱形を始めとして、長方形・台形・円形・長円形・楕円形等、どのような形状でも構わない。
【００２３】
また、「カプセル体の少なくとも上半分は貫通孔の内壁も含めてメッシュが形成されている」とは、カプセル体の上半分のみが貫通孔の内壁も含めてメッシュになっている場合と、カプセル体の上半分に加えて下半分の一部もメッシュになっている場合と、カプセル体の全表面がメッシュになっている場合と、の全てを含む意味である。
【００２４】
また、「合成高分子吸水剤」は一般に「吸水性ポリマー」とも呼ばれ、アクリル酸−ビニルアルコール系共重合体やアクリルアミド系ポリマーが代表的なものであり、紙おむつ等に大量に使用されている。これらのアクリル酸−ビニルアルコール系共重合体やアクリルアミド系ポリマーは、自重の約２５０倍から約３６０倍の量の水を吸収する大きな吸水能力を有する。
【００２５】
かかる合成高分子吸水剤がカプセル体の中空部分に収容されており、カプセル体の少なくとも上半分にはメッシュが形成されていることから、本発明の鼻孔用衛生具をカプセル体の上側を奥にして鼻孔に嵌め込むことによって、鼻孔の奥から流れてきた鼻水はメッシュの目からカプセル体内に流れ込み、合成高分子吸水剤に吸収される。
【００２６】
ここで、合成高分子吸水剤には大きな吸水能力があるため、カプセル体の下半分に収容された合成高分子吸水剤にも鼻水が吸収される。また、カプセル体が略弾丸形状の外形を有しているため、カプセル体の上半分が鼻孔内壁から離れた状態となり、カプセル体の上半分全体で鼻水を吸収することができ、吸水面積が広くなる。この結果、長時間に亘って吸水性能を維持することができる。
【００２７】
また、貫通孔に鼻水が流れ込んでメッシュの目からカプセル体内の合成高分子吸水剤に吸収され、その結果、合成高分子吸水剤が膨張した場合でも、カプセル体の柔らかさの範囲内で多少貫通孔が狭くなる程度で済み、貫通孔が塞がれることはないので、本発明の鼻孔用衛生具を両方の鼻孔に装着しても息苦しくなる恐れはない。そして、カプセル体は柔らかい材料からなるため、付け心地が快適で長時間装着しても鼻が痛くなることもない。
【００２８】
ここで、貫通孔の内径は、最も細い部分でも５ｍｍφ以上あることが好ましい。これによって貫通孔を通しての呼吸がより楽になり、息苦しくなる事態を確実に防止することができる。また、貫通孔の内径は、最大９ｍｍφ以下であることが好ましい。鼻孔用衛生具全体の最大径は、通常成人の鼻孔の大きさから１２ｍｍφ〜１６ｍｍφ程度が好ましいため、貫通孔の内径が９ｍｍφを超えると吸水部分の体積が小さくなり、吸水能力が不足するからである。したがって、貫通孔の内径は、５ｍｍφ〜９ｍｍφの範囲内であることが好ましい。しかし、貫通孔の内径は、最小径が３ｍｍφ〜９ｍｍφの範囲内であれば意識するものの、使用可能であることが判明した。
【００２９】
このようにして、全体で鼻水を吸収することができて吸水性能が長時間低下することがなく、両方の鼻孔に装着した場合でも装着者が息苦しくなることがなく、快適に装着することができる鼻孔用衛生具となる。
【００３０】
請求項２の発明にかかる鼻孔用衛生具は、鼻孔に嵌め込むことができ、外周の縦方向に１または２以上の鼻孔の内壁との間に空間を生ずる縦溝を有する柔らかい材料からなる外形が略弾丸形のカプセル体と、カプセル体の内部に収容された合成高分子吸水剤とを具備し、カプセル体の少なくとも上半分は縦溝も含めてメッシュが形成されている。
【００３１】
ここで、「略弾丸形」とは、弾丸に似た形状を意味するものであり、上半分が円錐形に近い形状や上半分が円錐台形に近い形状をも含むものである。また、メッシュの目の形状としては、正方形・菱形を始めとして、円形・長円形・楕円形等のどのような形状でも構わない。
【００３２】
また、「カプセル体の少なくとも上半分は縦溝も含めてメッシュが形成されている」とは、カプセル体の上半分のみが縦溝も含めてメッシュになっている場合と、カプセル体の上半分に加えて下半分の一部もメッシュになっている場合と、カプセル体の全表面がメッシュになっている場合と、の全てを含む意味である。
【００３３】
本発明にかかる鼻孔用衛生具においては、請求項１の発明の鼻孔用衛生具における息抜き穴としての貫通孔の代わりに、息抜き穴として外周の縦方向に１または２以上の鼻孔の内壁との間に空間を生ずる縦溝を設けている。そして、同様に合成高分子吸水剤がカプセル体の中空部分に収容されており、カプセル体の少なくとも上半分がメッシュ状になっていることから、本発明の鼻孔用衛生具をカプセル体の上側を奥にして鼻孔に嵌め込むことによって、鼻孔の奥から流れてきた鼻水はメッシュの目からカプセル体内に流れ込み、合成高分子吸水剤に吸収される。
【００３４】
ここで、合成高分子吸水剤には大きな吸水能力があるため、カプセル体の下半分に収容された粒状の合成高分子吸水剤にも鼻水が吸収される。また、カプセル体が略弾丸形状の外形を有しているため、カプセル体の上半分が鼻孔内壁から離れた状態となり、カプセル体の上半分全体で鼻水を吸収することができ、吸水面積が広くなる。この結果、長時間に亘って吸水性能を維持することができる。
【００３５】
また、縦溝に鼻水が流れ込んでメッシュの目からカプセル体内の合成高分子吸水剤に吸収され、その結果、合成高分子吸水剤が膨張した場合でも、カプセル体の柔らかさの範囲内で多少縦溝が狭くなる程度で済み、縦溝が塞がれることはないので、本発明の鼻孔用衛生具を両方の鼻孔に装着しても息苦しくなる恐れはない。そして、カプセル体は柔らかい材料からなるため、付け心地が快適で、長時間装着しても鼻が痛くなることもない。
【００３６】
このようにして、全体で鼻水を吸収することができて吸水性能が長時間低下することがなく、両方の鼻孔に装着した場合でも装着者が息苦しくなることがなく、快適に装着することができる鼻孔用衛生具となる。
【００３７】
請求項３の発明にかかる鼻孔用衛生具においては、合成高分子吸水剤がメッシュの目よりも大きい粒状に形成されている。ここで、メッシュの目の形状としては、正方形・菱形を始めとして、円形・長円形・楕円形等のどのような形状でも構わない。
【００３８】
このため、カプセル体に収容された粒状の合成高分子吸水剤の間には多数の隙間が生じ、合成高分子吸水剤が鼻水を吸収して膨張しても、すぐには隙間のない状態にはならず、カプセル体の下方に収容された粒状の合成高分子吸水剤にも鼻水が吸収される。また、カプセル体が略弾丸形状の外形を有しているため、カプセル体の上半分が鼻孔内壁から離れた状態となり、カプセル体の上半分全体で鼻水を吸収することができ、吸水面積が広くなる。この結果、長時間に亘って吸水性能を維持することができる。さらに、合成高分子吸水剤が粒状であるため、カプセル体に収容し易く製造が容易になる。
【００３９】
また、合成高分子吸水剤の粒はメッシュの目よりも大きいため、カプセル体の外に出てしまう恐れはない。さらに、貫通孔または縦溝に鼻水が流れ込んでメッシュの目からカプセル体内の粒状の合成高分子吸水剤に吸収され、その結果、粒状の合成高分子吸水剤が膨張した場合でも、カプセル体の柔らかさの範囲内で多少貫通孔または縦溝が狭くなる程度で済み、貫通孔または縦溝が塞がれることはないので、本発明の鼻孔用衛生具を両方の鼻孔に装着しても息苦しくなる恐れはない。そして、カプセル体は柔らかい材料からなるため、長時間装着しても鼻が痛くなることもない。
【００４０】
ここで、貫通孔の内径は、最も細い部分でも５ｍｍφ以上あることが好ましい。これによって貫通孔を通しての呼吸がより楽になり、息苦しくなる事態を確実に防止することができる。また、貫通孔の内径は、最大９ｍｍφ以下であることが好ましい。鼻孔用衛生具全体の最大径は、通常成人男性の鼻孔の大きさから１２ｍｍφ〜１６ｍｍφ程度が好ましいため、貫通孔の内径が９ｍｍφを超えると吸水部分の体積が小さくなり、吸水能力が不足するからである。したがって、貫通孔の内径は、５ｍｍφ〜９ｍｍφの範囲内であることが好ましい。しかし、貫通孔の内径は、最小径が３ｍｍφ〜９ｍｍφの範囲内であれば意識するものの、使用可能であることが判明した。
【００４１】
このようにして、全体で鼻水を吸収することができて吸水性能が長時間低下することがなく、両方の鼻孔に装着した場合でも装着者が息苦しくなることがなく、快適に装着することができる鼻孔用衛生具となる。
【００４２】
請求項４の発明にかかる鼻孔用衛生具は、カプセル体を上下に二分割することができる。したがって、長時間使用して吸水性能が低下した場合には、カプセル体を上下に二分割して内部の合成高分子吸水剤を取出し、新しい一体の若しくは粒状の合成高分子吸水剤を収容して再び上下のカプセル体を一体化させることによって、再使用することができる。取出した合成高分子吸水剤は、各市町村の条例等にしたがって処分する。二分割できる上下のカプセル体を一体化させる方式としては、嵌め込み式でも良いし、ねじ込み式でも良い。
【００４３】
これによって、カプセル体を使い捨てにすることなく、何回も再使用することができ、低コスト化できるとともに、廃棄物を減らすことができて、環境問題に貢献することができる。
【００４４】
このようにして、全体で鼻水を吸収することができて吸水性能が長時間低下することがなく、両方の鼻孔に装着した場合でも装着者が息苦しくなることがなく、快適に装着することができるとともに、カプセル体を使い捨てにすることなく、何回も再使用することができる鼻孔用衛生具となる。
【００４５】
請求項５の発明にかかる鼻孔用衛生具は、軸線方向に中心を貫通する貫通孔を有する柔らかい材料からなる外形が略弾丸形の中実の衛生具本体と、貫通孔の内壁と衛生具本体の底面を除く衛生具本体の表面全体に接着された合成高分子吸水剤とを具備し、合成高分子吸水剤が接着された状態で鼻孔に嵌め込むことができる外径を有する。
【００４６】
即ち、柔らかい材料で外形が略弾丸形の中実の衛生具本体を成形し、その表面に合成高分子吸水剤を接着することによって製造されるので、中空のカプセル体を成形してその内部に合成高分子吸水剤を収容するのに比べて、製造が容易でありより低コストで製造することができる。
【００４７】
また、略弾丸形の衛生具本体の表面に合成高分子吸水剤を接着してなるため、鼻孔内に装着した場合に鼻孔の奥から流れ出る鼻水を上半分全体で吸収することができ、吸水面積が広く吸水能力が大きい。そして、貫通孔の内壁には合成高分子吸水剤が接着されていないため、鼻水を吸収して膨張した合成高分子吸水剤によって貫通孔が塞がれる恐れがなく、両方の鼻孔に装着した場合でも装着者が息苦しくなることがない。
【００４８】
ここで、貫通孔の内径は、最も細い部分でも５ｍｍφ以上あることが好ましい。これによって貫通孔を通しての呼吸がより楽になり、息苦しくなる事態を確実に防止することができる。また、貫通孔の内径は、最大９ｍｍφ以下であることが好ましい。鼻孔用衛生具全体の最大径は、通常成人男性の鼻孔の大きさから１２ｍｍφ〜１６ｍｍφ程度が好ましいため、貫通孔の内径が９ｍｍφを超えると吸水部分の体積が小さくなり、吸水能力が不足するからである。したがって、貫通孔の内径は、５ｍｍφ〜９ｍｍφの範囲内であることが好ましい。しかし、貫通孔の内径は、最小径が３ｍｍφ〜９ｍｍφの範囲内であれば意識するものの、使用可能であることが判明した。
【００４９】
このようにして、全体で鼻水を吸収することができて吸水性能が長時間低下することがなく、両方の鼻孔に装着した場合でも装着者が息苦しくなることがなく、快適に装着することができるとともに、製造が容易でより低コストで製造できる鼻孔用衛生具となる。
【００５０】
請求項６の発明にかかる鼻孔用衛生具においては、カプセル体または衛生具本体の外周の一部には、カプセル体または衛生具本体の上端が鼻孔の奥まで入らないようにストッパーが設けられている。
【００５１】
これによって、本発明にかかる鼻孔用衛生具を装着する際に力を入れ過ぎても、カプセル体または衛生具本体の上端が鼻孔の奥まで入り過ぎて、鼻孔用衛生具が取れ難くなったり、鼻孔用衛生具の上半分が鼻孔の奥に密着して吸水面積が減少したりする事態を確実に防止することができる。
【００５２】
このようにして、全体で鼻水を吸収することができて吸水性能が長時間低下することがなく、両方の鼻孔に装着した場合でも装着者が息苦しくなることがなく、快適に装着することができる鼻孔用衛生具となる。
【００５３】
請求項７の発明にかかる鼻孔用衛生具は、合成高分子吸水剤が吸水性バイオポリマーからなる。
【００５４】
ここで、「吸水性バイオポリマー」とは、上述の如く、微生物が生産する吸水性高分子であり、具体例としてはAlcaligenes latus Ｂ−１６株をフラクトース等を炭素源として培養すると、効率良く菌体外に吸水性のバイオポリマーを生産する。このうち、高分子量成分のバイオポリマーは、グルコース、ラムノース、フコース、グルクロン酸の４種類からなる多糖類であり、分子量は約５×１０9 という巨大な分子量を持つ。
【００５５】
かかる吸水性バイオポリマーの吸水性能は自重の１０００倍から最高２０００倍の吸水能力があり、汎用の合成高分子吸水剤の５倍以上の吸水能力を有する。また、汎用の合成高分子吸水剤が食塩水中でその機能を大幅に低下させるのに対し、食塩水中でも自重の約５００倍の水を吸水する。さらに、生分解性があり、安全性に優れ、二次公害の恐れがない吸水性高分子である。
【００５６】
したがって、より長時間吸水性能を維持することができ、鼻孔用衛生具としてより長時間使用することができる。また、上記請求項４の発明にかかる鼻孔用衛生具のように、カプセル体を分割して収容された使用済み合成高分子吸水剤を取出して処分する場合でも、地面等に散布しておけば自然に分解されて土に帰るので環境に負荷を掛けることがなく、地球に優しい鼻孔用衛生具となる。
【００５７】
このようにして、全体で鼻水を吸収することができて吸水性能がさらに長時間低下することがなく、両方の鼻孔に装着した場合でも装着者が息苦しくなることがなく、快適に装着することができるとともに、環境負荷物質を減らすことができ地球に優しい鼻孔用衛生具となる。
【００５８】
請求項８の発明にかかる鼻孔用衛生具は、カプセル体または衛生具本体がエラストマーからなる。
【００５９】
ここで、「エラストマー」とは、上述の如く、顕著な弾性を示す高分子物質であり、例えばシリコーンゴム等の合成ゴムや、架橋した天然ゴム等が含まれる。
【００６０】
さらに詳しくは、大量に使用される安価なものを汎用ゴムと呼び、天然ゴム（ＮＲ），イソプレンゴム（ＩＲ），ブタジエンゴム（ＢＲ），クロロプレンゴム（ＣＲ），イソブチレン−イソプレンゴム（ＩＩＲ），ニトリルゴム（ＮＢＲ），スチレン−ブタジエンゴム（ＳＢＲ），エチレン−プロピレンゴム（ＥＰＭ）等がこれに含まれる。また、少量生産のより高価なものを特殊ゴムと呼び、シリコーンゴム，フッ素ゴム，アクリルゴム，ヒドリンゴム，クロロスルホン化ポリエチレン，塩素化ポリエチレン，エチレン−アクリルゴム，プロピレンオキシドゴム等がこれに含まれる（「カーク・オスマー化学大辞典」４２６頁〜４２７頁，監修者・塩川二朗，発行所・丸善株式会社）。
【００６１】
これらの材料は柔らかく成形が容易で、しかも安価であるため、本発明にかかる鼻孔用衛生具を低コストで製造することができる。特に、エラストマーの中でもシリコーンゴムは生体に悪い影響を与えないため、カプセル体の材料としてより好ましい。また、衛生具本体の材料としては、接着性が良く安価であることからブタジエンゴム等の汎用ゴムがより好ましい。
【００６２】
このようにして、全体で鼻水を吸収することができて吸水性能が長時間低下することがなく、両方の鼻孔に装着した場合でも装着者が息苦しくなることがなく、快適に装着することができるとともに、低コストで製造することができる鼻孔用衛生具となる。
【００６３】
請求項９の発明にかかる鼻孔用衛生具は、カプセル体または衛生具本体が生分解性高分子材料からなる。
【００６４】
ここで、「生分解性高分子」とは、上述の如く、生体内で或いは微生物の作用により分解される高分子の総称であり、天然高分子と合成高分子とがある。生分解性天然高分子の例としては、コラーゲン，澱粉等の、たんぱく質や多糖類等があり、生分解性合成高分子の例としては、ポリグリコール酸，ポリ乳酸，ポリエチレンスクシナート等の脂肪族ポリエステルが挙げられる。
【００６５】
このように、カプセル体または衛生具本体が生分解性高分子材料からなるため、鼻孔用衛生具を使い終わって捨てる場合にも、合成高分子吸水剤を取り除いた後に、カプセル体または衛生具本体を地面に放置したり土の中に埋めたりすれば自然に分解して土に帰るため、自然環境に一切負荷を与えることなく処分することができる。
【００６６】
特に、上記請求項７にかかる発明に適用する場合には、鼻孔用衛生具を構成する材料が全て生分解性を有するため、使い終わって捨てる場合でも燃えるごみや不燃性ごみとして処分する必要がなく、そのまま地面に放置したり土の中に埋めたりすれば自然に分解して土に帰るため、自然環境に一切負荷を与えることなく処分することができ、現在深刻な問題となっている地球規模の環境汚染の解決にも一役買うことになる。
【００６７】
このようにして、全体で鼻水を吸収することができて吸水性能がより長時間低下することがなく、両方の鼻孔に装着した場合でも装着者が息苦しくなることがなく、快適に装着することができるだけでなく、生分解性を有し環境に優しい鼻孔用衛生具となる。
【００６８】
請求項１０の発明にかかる鼻孔用衛生具は、カプセル体または衛生具本体の少なくとも底面が黒色を始めとする明度の低い暗い色である。
【００６９】
ここで、「少なくとも底面が黒色を始めとする明度の低い暗い色」とは、底面のみが黒色を始めとする明度の低い暗い色の場合と、底面を含むカプセル体または衛生具本体の一部が黒色を始めとする明度の低い暗い色の場合と、カプセル体または衛生具本体の全部が黒色を始めとする明度の低い暗い色の場合と、の全てを含む意味である。
【００７０】
これによって、本発明にかかる鼻孔用衛生具を鼻孔に装着した場合に、外部から見える底面が黒色を始めとする明度の低い暗い色であるため、鼻孔用衛生具を装着していても目立たず、他人に気付かれないか、気付かれても見苦しい印象を与えないという作用効果が得られる。したがって、長時間装着していても他人の目を気にする必要がない。
【００７１】
このようにして、全体で鼻水を吸収することができて吸水性能が長時間低下することがなく、両方の鼻孔に装着した場合でも装着者が息苦しくなることがなく、快適に装着することができるとともに、装着していても目立たず他人に気付かれないか気付かれても見苦しい印象を与えない鼻孔用衛生具となる。
【発明を実施するための最良の形態】
【００７２】
以下、本発明の実施の形態について、図面を参照しつつ説明する。
【００７３】
実施の形態１
まず、本発明の実施の形態１にかかる鼻孔用衛生具について、図１及び図２を参照して説明する。
【００７４】
図１（ａ）は本発明の実施の形態１にかかる鼻孔用衛生具の縦断面図、（ｂ）は平面図、（ｃ）は本発明の実施の形態１にかかる鼻孔用衛生具の引き出し具を示す図である。図２（ａ）は本発明の実施の形態１の変形例にかかる鼻孔用衛生具の縦断面図、（ｂ）は平面図である。
【００７５】
図１（ａ），（ｂ）に示されるように、本実施の形態１にかかる鼻孔用衛生具１は、略弾丸形状の外形を有するカプセル体２の中心軸方向に貫通孔３が設けられており、カプセル体２の中空部分に粒状の合成高分子吸水剤５が収容されてなる。カプセル体２は、上半分２Ａと下半分２Ｂとからなり、上半分２Ａも下半分２Ｂもエラストマーとしてのシリコーンゴムを成形してなるものであり、上半分２Ａには貫通孔３の内壁も含めて約０．５ｍｍφの円形の多数の内外に貫通するメッシュ４が形成されている。
【００７６】
ここで、粒状の合成高分子吸水剤５の粒径は、０．８ｍｍφ〜１．２ｍｍφの範囲内にあり、メッシュ４の径０．５ｍｍφよりも大きいため、粒状の合成高分子吸水剤５がメッシュ４から外に零れる恐れはない。また、貫通孔３の内径は最も大きい最上部で約７ｍｍφ、最も小さい最下部で約５ｍｍφであり、カプセル体２の最大径は約１５ｍｍφで、カプセル体２の高さ（長さ）は約１５ｍｍである。このように、貫通孔３の内径が最も細い部分でも５ｍｍφあることによって貫通孔３を通しての呼吸がより楽になり、息苦しくなる事態を確実に防止することができる。
【００７７】
また、カプセル体２の上半分２Ａも下半分２Ｂも、黒色に着色したシリコーンゴムを射出成形してなるものであり、したがってカプセル体２の色は底面２ａも含めて全て黒色である。なお、本実施の形態１においては、カプセル体２の上半分２Ａも下半分２Ｂも黒色に着色したシリコーンゴムからなるものとしたが、カプセル体２の下半分２Ｂのみを黒色に着色したシリコーンゴムを射出成形してなるものとし、カプセル体２の上半分２Ａは着色しない乳白色のシリコーンゴムを射出成形してなるものとしても良い。この場合にも、カプセル体２の底面２ａの色は、やはり黒色となる。
【００７８】
かかる構成の本実施の形態１にかかる鼻孔用衛生具１を、鼻風邪や花粉症が原因で鼻水が良く出る人がカプセル体２の上側を奥にして両方の鼻孔に装着すると、カプセル体２の上半分２Ａが円錐台形状をしているため、上半分２Ａが鼻孔の内壁から離れた状態となり、カプセル体２の上半分２Ａにはメッシュ４が形成されていることから、カプセル体２の上半分２Ａの全体で鼻水を吸収することができて吸水面積が広くなる。
【００７９】
そして、鼻孔の奥から流れてきた鼻水はメッシュ４の目からカプセル体２の内部に流れ込み、粒状の合成高分子吸水剤５に吸収される。ここで、合成高分子吸水剤５には自重の約２５０倍から約３６０倍の量の水を吸収する大きな吸水能力があるとともに、カプセル体２に収容された粒状の合成高分子吸水剤５の間には多数の隙間が生じ、合成高分子吸水剤５が鼻水を吸収して膨張しても、すぐには隙間のない状態にはならず、カプセル体２の下半分２Ｂの下方に収容された粒状の合成高分子吸水剤５にも鼻水が吸収される。この結果、長時間に亘って吸水性能を維持することができる。
【００８０】
また、貫通孔３に鼻水が流れ込んでメッシュ４の目からカプセル体２の内部の粒状の合成高分子吸水剤５に吸収され、その結果、合成高分子吸水剤５が膨張した場合でも、カプセル体２の柔らかさの範囲内で多少貫通孔３が狭くなる程度で済み、貫通孔３が塞がれることはないので、本実施の形態１の鼻孔用衛生具１を両方の鼻孔に装着しても息苦しくなる恐れはない。さらに、カプセル体２は柔らかい材料であるシリコーンゴムからなるため、付け心地が快適で長時間装着しても鼻が痛くなることもない。
【００８１】
さらに、カプセル体２の上半分２Ａも下半分２Ｂも黒色に着色したシリコーンゴムからなるものとしたことによって、鼻孔用衛生具１を両方の鼻孔に装着した場合に外部から見える底面２ａが黒色であるため、鼻孔用衛生具１を装着していても目立たず、他人に気付かれないか、気付かれても見苦しい印象を与えないという作用効果が得られる。したがって、長時間装着していても他人の目を気にする必要がない。
【００８２】
このようにして、本実施の形態１にかかる鼻孔用衛生具１は、全体で鼻水を吸収することができて吸水性能が長時間低下することがなく、両方の鼻孔に装着した場合でも装着者が息苦しくなることがなく、快適に装着することができるとともに、装着していても目立たず他人に気付かれないか気付かれても見苦しい印象を与えることがない。
【００８３】
そして、本実施の形態１にかかる鼻孔用衛生具１を取り外す場合には、図１（ｃ）に示されるような引き出し具１０を用いると容易に引き出すことができる。この引き出し具１０は弾性を有するプラスチック製で、１対の引き出し部８が互いに離れるように外側へ拡がるようにできている。
【００８４】
したがって、鼻孔用衛生具１を取り外す場合には、１対の引き出し部８の根元部分を指でつまんで、図１（ｃ）に示されるように１対の引き出し部８が閉じた状態にして鼻孔用衛生具１の貫通孔３内に挿入し、１対の引き出し部８の先端部分８ａが貫通孔３を通過した時点で１対の引き出し部８の根元部分を開放すれば、１対の引き出し部８が弾性によって拡がって、１対の先端部分８ａが貫通孔３の上端に引っ掛かるので、引き出し具１０のつまみ部９を指でつまんで引張ることによって、容易に鼻孔用衛生具１を取り外すことができる。
【００８５】
なお、カプセル体２の上半分２Ａと下半分２Ｂは、図１（ａ）に示されるように、嵌め込み式で一体化されるが、一体化する際に上半分２Ａと下半分２Ｂを接着して鼻孔用衛生具１全体を使い捨て方式にしても良いし、上半分２Ａと下半分２Ｂを再度分割できるようにして、吸水能力の低下した粒状の合成高分子吸水剤５を取出し、新しい粒状の合成高分子吸水剤５を収容して上半分２Ａと下半分２Ｂを一体化させることによって、カプセル体２のみは繰り返し使用できるようにしても良い。
【００８６】
次に、本実施の形態１の変形例にかかる鼻孔用衛生具について、図２を参照して説明する。
【００８７】
図２（ａ），（ｂ）に示されるように、本実施の形態１の変形例にかかる鼻孔用衛生具１１も、略弾丸形状の外形を有するカプセル体１２の中心軸方向に貫通孔１３が設けられており、カプセル体１２の中空部分に粒状の合成高分子吸水剤１５が収容されてなる。カプセル体１２は、上半分１２Ａと下半分１２Ｂとからなり、上半分１２Ａも下半分１２Ｂもシリコーンゴムを成形してなるものであり、上半分１２Ａには貫通孔１３の内壁も含めて一辺の長さが約０．５ｍｍの正方形の多数のメッシュ１４が形成されている。
【００８８】
ここで、粒状の合成高分子吸水剤１５の粒径は、０．８ｍｍφ〜１．２ｍｍφの範囲内にあり、メッシュ１４の一辺の長さ０．５ｍｍよりも大きいため、粒状の合成高分子吸水剤５がメッシュ１４から外に零れる恐れはない。また、貫通孔１３の内径は最も大きい最上部で約６ｍｍφ、最も小さい中間部で約５ｍｍφであり、カプセル体１２の最大径は約１４ｍｍφで、カプセル体１２の高さ（長さ）は約１５ｍｍである。このように、貫通孔１３の内径が最も細い部分でも５ｍｍφあることによって貫通孔１３を通しての呼吸がより楽になり、息苦しくなる事態を確実に防止することができる。
【００８９】
また、カプセル体１２の上半分１２Ａも下半分１２Ｂも、黒色に着色したシリコーンゴムを射出成形してなるものであり、したがってカプセル体１２の色は底面１２ａも含めて全て黒色である。なお、本実施の形態１の変形例においても、カプセル体１２の上半分１２Ａも下半分１２Ｂも黒色に着色したシリコーンゴムからなるものとしたが、カプセル体１２の下半分１２Ｂのみを黒色に着色したシリコーンゴムを射出成形してなるものとし、カプセル体１２の上半分１２Ａは着色しない乳白色のシリコーンゴムを射出成形してなるものとしても良い。この場合にも、カプセル体１２の底面１２ａの色は、やはり黒色となる。
【００９０】
このように、本実施の形態１の変形例にかかる鼻孔用衛生具１１は、上記鼻孔用衛生具１と比較して、カプセル体１２の形状と大きさ、貫通孔１３の大きさ、メッシュ１４の形状が異なっているが、さらに大きな違いは、粒状の合成高分子吸水剤１５として吸水性バイオポリマーを使用している点である。
【００９１】
吸水性バイオポリマー１５としては、Alcaligenes latus Ｂ−１６株をフラクトース等を炭素源として培養してなる、グルコース、ラムノース、フコース、グルクロン酸の４種類からなる多糖類であり、約５×１０9 という巨大な分子量を持つものを用いている。かかる吸水性バイオポリマーの吸水性能は自重の１０００倍から最高２０００倍の吸水能力があり、汎用の合成高分子吸水剤５の５倍以上の吸水能力を有する。また、汎用の合成高分子吸水剤が食塩水中でその機能を大幅に低下させるのに対し、食塩水中でも自重の約５００倍の水を吸水する。さらに、生分解性があり、安全性に優れ、二次公害の恐れがない吸水性高分子である。
【００９２】
かかる構成の本実施の形態１の変形例にかかる鼻孔用衛生具１１を、鼻風邪や花粉症が原因で鼻水が良く出る人がカプセル体１２の上側を奥にして両方の鼻孔に装着すると、カプセル体１２の上半分１２Ａが緩やかな円錐台形状をしているため、上半分１２Ａが鼻孔の内壁から離れた状態となり、カプセル体１２の上半分１２Ａにはメッシュ１４が形成されていることから、カプセル体１２の上半分１２Ａの全体で鼻水を吸収することができて吸水面積が広くなる。
【００９３】
そして、鼻孔の奥から流れてきた鼻水はメッシュ１４の目からカプセル体１２の内部に流れ込み、粒状の吸水性バイオポリマー１５に吸収される。ここで、吸水性バイオポリマー１５には自重の約１０００倍から約２０００倍の量の水を吸収する非常に大きな吸水能力があるとともに、カプセル体１２に収容された粒状の吸水性バイオポリマー１５の間には多数の隙間が生じ、吸水性バイオポリマー１５が鼻水を吸収して膨張しても、すぐには隙間のない状態にはならず、カプセル体１２の下半分１２Ｂの下方に収容された粒状の吸水性バイオポリマー１５にも鼻水が吸収される。この結果、極めて長時間に亘って吸水性能を維持することができる。
【００９４】
また、貫通孔１３に鼻水が流れ込んでメッシュ１４の目からカプセル体１２の内部の粒状の吸水性バイオポリマー１５に吸収され、その結果、吸水性バイオポリマー１５が膨張した場合でも、カプセル体１２の柔らかさの範囲内で多少貫通孔１３が狭くなる程度で済み、貫通孔１３が塞がれることはないので、本実施の形態１の変形例にかかる鼻孔用衛生具１１を両方の鼻孔に装着しても息苦しくなる恐れはない。さらに、カプセル体１２は柔らかい材料であるシリコーンゴムからなるため、付け心地が快適で長時間装着しても鼻が痛くなることもない。
【００９５】
さらに、カプセル体１２の上半分１２Ａも下半分１２Ｂも黒色に着色したシリコーンゴムからなるものとしたことによって、鼻孔用衛生具１１を両方の鼻孔に装着した場合に外部から見える底面１２ａが黒色であるため、鼻孔用衛生具１１を装着していても目立たず、他人に気付かれないか、気付かれても見苦しい印象を与えないという作用効果が得られる。したがって、長時間装着していても他人の目を気にする必要がない。
【００９６】
なお、この鼻孔用衛生具１１を取り外す場合にも、図１（ｃ）に示される引き出し具１０を用いることによって、容易に取り外すことができる。
【００９７】
このようにして、本実施の形態１の変形例にかかる鼻孔用衛生具１１は、全体で鼻水を吸収することができて吸水性能が極めて長時間低下することがなく、両方の鼻孔に装着した場合でも装着者が息苦しくなることがなく、快適に装着することができるとともに、装着していても目立たず他人に気付かれないか気付かれても見苦しい印象を与えることがない。
【００９８】
なお、カプセル体１２の上半分１２Ａと下半分１２Ｂは、図２（ａ）に示されるように、嵌め込み式で一体化されるが、吸水性バイオポリマー１５は生分解性を有するため、一体化する際に上半分１２Ａと下半分１２Ｂを再度分割できるようにして、吸水能力の低下した粒状の吸水性バイオポリマー１５を取出し、新しい粒状の吸水性バイオポリマー１５を収容して上半分１２Ａと下半分１２Ｂを一体化させることによって、カプセル体１２のみは繰り返し使用できるようにする。そして、取出した吸水性バイオポリマー１５は地面に散布する等すれば、自然に分解するので、非常に環境に優しい鼻孔用衛生具１１となる。
【００９９】
実施の形態２
次に、本発明の実施の形態２にかかる鼻孔用衛生具について、図３を参照して説明する。
【０１００】
図３（ａ）は本発明の実施の形態２にかかる鼻孔用衛生具の縦断面図、（ｂ）は平面図である。
【０１０１】
図３（ａ），（ｂ）に示されるように、本実施の形態２にかかる鼻孔用衛生具２１は、略弾丸形状の外形を有するカプセル体２２の外周の縦方向に４本の鼻孔の内壁との間に空間を生ずる縦溝２３が設けられており、縦溝の深さは約２ｍｍである。カプセル体２２は、上半分２２Ａと下半分２２Ｂとからなり、上半分２２Ａも下半分２２Ｂもシリコーンゴムを成形してなるものであり、上半分２２Ａには４本の縦溝２３の部分も含めて、約０．５ｍｍφの円形の多数のメッシュ２４が形成されている。
【０１０２】
ここで、カプセル体２２の内部には、上記実施の形態１の変形例と同様に、粒状の吸水性バイオポリマー１５が収容されており、吸水性バイオポリマー１５の粒径は、０．８ｍｍφ〜１．２ｍｍφの範囲内にあり、メッシュ２４の径０．５ｍｍよりも大きいため、粒状の吸水性バイオポリマー１５がメッシュ２４から外に零れる恐れはない。また、カプセル体２２の最大径は約１５ｍｍφで、カプセル体２２の高さ（長さ）は約１５ｍｍである。
【０１０３】
また、カプセル体２２の上半分２２Ａも下半分２２Ｂも、黒色に着色したシリコーンゴムを射出成形してなるものであり、したがってカプセル体２２の色は底面２２ａも含めて全て黒色である。なお、本実施の形態２においても、カプセル体２２の上半分２２Ａも下半分２２Ｂも黒色に着色したシリコーンゴムからなるものとしたが、カプセル体２２の下半分２２Ｂのみを黒色に着色したシリコーンゴムを射出成形してなるものとし、カプセル体２２の上半分２２Ａは着色しない乳白色のシリコーンゴムを射出成形してなるものとしても良い。この場合にも、カプセル体２２の底面２２ａの色は、やはり黒色となる。
【０１０４】
このように、本実施の形態２にかかる鼻孔用衛生具２１においては、上記実施の形態１にかかる鼻孔用衛生具１，１１と異なり、息抜き用の穴として貫通孔を設ける代わりに４本の縦溝２３を設けたことによって、カプセル体２２の上半分２２Ａと下半分２２Ｂを射出成形するための金型の構造が簡単になり、より容易に製造することができる。
【０１０５】
かかる構成の本実施の形態２にかかる鼻孔用衛生具２１を、鼻風邪や花粉症が原因で鼻水が良く出る人がカプセル体２２の上側を奥にして両方の鼻孔に装着すると、カプセル体２２の上半分２２Ａが円錐台形状をしているため、上半分２２Ａが鼻孔の内壁から離れた状態となり、カプセル体２２の上半分２２Ａにはメッシュ２４が形成されていることから、カプセル体２２の上半分２２Ａの全体で鼻水を吸収することができて吸水面積が広くなる。
【０１０６】
そして、鼻孔の奥から流れてきた鼻水はメッシュ２４の目からカプセル体２２の内部に流れ込み、粒状の吸水性バイオポリマー１５に吸収される。ここで、吸水性バイオポリマー１５には自重の約１０００倍から約２０００倍の量の水を吸収する非常に大きな吸水能力があるとともに、カプセル体２２に収容された粒状の吸水性バイオポリマー１５の間には多数の隙間が生じ、吸水性バイオポリマー１５が鼻水を吸収して膨張しても、すぐには隙間のない状態にはならず、カプセル体２２の下半分２２Ｂに収容された粒状の吸水性バイオポリマー１５にも鼻水が吸収される。この結果、極めて長時間に亘って吸水性能を維持することができる。
【０１０７】
また、４箇所の縦溝２３に鼻水が流れ込んでメッシュ２４の目からカプセル体２２の内部の粒状の吸水性バイオポリマー１５に吸収され、その結果、吸水性バイオポリマー１５が膨張した場合でも、カプセル体２２の柔らかさの範囲内で多少縦溝２３が狭くなる程度で済み、４本の縦溝２３が全て塞がれることはないので、本実施の形態２にかかる鼻孔用衛生具２１を両方の鼻孔に装着しても息苦しくなる恐れはない。さらに、カプセル体２２は柔らかい材料であるシリコーンゴムからなるため、付け心地が快適で長時間装着しても鼻が痛くなることもない。
【０１０８】
さらに、カプセル体２２の上半分２２Ａも下半分２２Ｂも黒色に着色したシリコーンゴムからなるものとしたことによって、鼻孔用衛生具２１を両方の鼻孔に装着した場合に外部から見える底面２２ａが黒色であるため、鼻孔用衛生具２１を装着していても目立たず、他人に気付かれないか、気付かれても見苦しい印象を与えないという作用効果が得られる。したがって、長時間装着していても他人の目を気にする必要がない。
【０１０９】
このようにして、本実施の形態２にかかる鼻孔用衛生具２１は、全体で鼻水を吸収することができて吸水性能が極めて長時間低下することがなく、両方の鼻孔に装着した場合でも装着者が息苦しくなることがなく、快適に装着することができるとともに、装着していても目立たず他人に気付かれないか気付かれても見苦しい印象を与えることがない。そして、より容易に製造することができる。
【０１１０】
なお、カプセル体２２の上半分２２Ａと下半分２２Ｂは、図３（ａ）に示されるように、嵌め込み式で一体化されるが、吸水性バイオポリマー１５は生分解性を有するため、一体化する際に上半分２２Ａと下半分２２Ｂを再度分割できるようにして、吸水能力の低下した粒状の吸水性バイオポリマー１５を取出し、新しい粒状の吸水性バイオポリマー１５を収容して上半分２２Ａと下半分２２Ｂを一体化させることによって、カプセル体２２のみは繰り返し使用できるようにする。そして、取出した吸水性バイオポリマー１５は地面に散布する等すれば、自然に分解するので、非常に環境に優しい鼻孔用衛生具２１となる。
【０１１１】
実施の形態３
次に、本発明の実施の形態３にかかる鼻孔用衛生具について、図４を参照して説明する。
【０１１２】
図４（ａ）は本発明の実施の形態３にかかる鼻孔用衛生具の縦断面図、（ｂ）は平面図である。
【０１１３】
図４（ａ），（ｂ）に示されるように、本実施の形態３にかかる鼻孔用衛生具３１は、略弾丸形状の外形を有する衛生具本体３２の中心軸方向に貫通孔３３が設けられており、衛生具本体３２の外周にはシート状の合成高分子吸水剤（吸水性バイオポリマー）３４が、複数枚積層されて接着されている。衛生具本体３２は、黒色に着色したブタジエンゴムを射出成形してなるものであり、したがって衛生具本体３２は底面３２ａも含めて全体が黒色である。
【０１１４】
シート状の吸水性バイオポリマー３４としては、やはり、Alcaligenes latus Ｂ−１６株をフラクトース等を炭素源として培養してなる、グルコース、ラムノース、フコース、グルクロン酸の４種類からなる多糖類であり、約５×１０9 という巨大な分子量を持つものを、抄紙して用いている。シート状の吸水性バイオポリマー３４を接着した鼻孔用衛生具３１の最大径は約１５ｍｍφで、衛生具本体３２の高さ（長さ）は約１５ｍｍ、貫通孔３３の内径は約５ｍｍφである。このように、貫通孔３３の内径が５ｍｍφあることによって貫通孔３３を通しての呼吸がより楽になり、息苦しくなる事態を確実に防止することができる。
【０１１５】
かかる構成を有する本実施の形態３にかかる鼻孔用衛生具３１を、鼻風邪や花粉症が原因で鼻水が良く出る人が衛生具本体３２の上側を奥にして両方の鼻孔に装着すると、衛生具本体３２の上半分が円錐台形状をしているため、その上に接着された吸水性バイオポリマー３４の層の上半分も円錐台形状となり、鼻孔の内壁から離れた状態となるため、吸水性バイオポリマー３４の層の上半分の全体で鼻水を吸収することができて吸水面積が広くなる。
【０１１６】
そして、鼻孔の奥から流れてきた鼻水は、吸水性バイオポリマー３４の層に吸収される。ここで、吸水性バイオポリマー３４には自重の約１０００倍から約２０００倍の量の水を吸収する非常に大きな吸水能力があるため、吸水性バイオポリマー３４が鼻水を吸収して膨張しても、すぐには吸水能力の低下は起こらず、衛生具本体３２の下半分に接着された吸水性バイオポリマー３４の層にも鼻水が吸収される。この結果、極めて長時間に亘って吸水性能を維持することができる。
【０１１７】
また、貫通孔３３の内壁には吸水性バイオポリマー３４が接着されていないため、鼻水を吸収して膨張した吸水性バイオポリマー３４によって貫通孔３３が塞がれる恐れがなく、両方の鼻孔に装着した場合でも装着者が息苦しくなることがない。さらに、衛生具本体３２は柔らかい材料であるブタジエンゴムからなるため、付け心地が快適で長時間装着しても鼻が痛くなることもない。
【０１１８】
さらに、衛生具本体３２を黒色に着色したブタジエンゴムからなるものとしたことによって、鼻孔用衛生具３１を両方の鼻孔に装着した場合に外部から見える底面３２ａが黒色であるため、鼻孔用衛生具３１を装着していても目立たず、他人に気付かれないか、気付かれても見苦しい印象を与えないという作用効果が得られる。したがって、長時間装着していても他人の目を気にする必要がない。
【０１１９】
なお、この鼻孔用衛生具３１を取り外す場合にも、図１（ｃ）に示される引き出し具１０を用いることによって、容易に取り外すことができる。
【０１２０】
このようにして、本実施の形態３にかかる鼻孔用衛生具３１は、全体で鼻水を吸収することができて吸水性能が極めて長時間低下することがなく、両方の鼻孔に装着した場合でも装着者が息苦しくなることがなく、快適に装着することができるとともに、装着していても目立たず他人に気付かれないか気付かれても見苦しい印象を与えることがない。そして、より容易にかつ安価に製造することができる。
【０１２１】
実施の形態４
次に、本発明の実施の形態４にかかる鼻孔用衛生具について、図５及び図６を参照して説明する。
【０１２２】
図５（ａ）は本発明の実施の形態４にかかる鼻孔用衛生具の縦断面図、（ｂ）は平面図である。図６（ａ）は上記実施の形態１にかかる鼻孔用衛生具を鼻孔の奥まで押し込んだ状態を示す人の鼻孔近傍の縦断面図、（ｂ）は本発明の実施の形態４にかかる鼻孔用衛生具を鼻孔に装着した状態を示す人の鼻孔近傍の縦断面図である。
【０１２３】
図５（ａ），（ｂ）に示されるように、本実施の形態４にかかる鼻孔用衛生具３６は、上記実施の形態１にかかる鼻孔用衛生具１と、全体的には同様の構成を有している。即ち、略弾丸形状の外形を有するカプセル体３７の中心軸方向に貫通孔３８が設けられており、カプセル体３７の中空部分に粒状の合成高分子吸水剤５が収容されてなる。カプセル体３７は、上半分３７Ａと下半分３７Ｂとからなり、上半分３７Ａも下半分３７Ｂもシリコーンゴムを成形してなるものであり、上半分３７Ａには貫通孔３８の内壁も含めて約０．５ｍｍφの円形の多数のメッシュ４が形成されている。
【０１２４】
本実施の形態４にかかる鼻孔用衛生具３６が、実施の形態１にかかる鼻孔用衛生具１と異なるのは、カプセル体３７の上半分３７Ａの外周上方に、カプセル体３７の上端が鼻孔の奥まで入らないように、４個の舌状のストッパー３９が上半分３７Ａと一体に設けられている点である。
【０１２５】
その他の点については、実施の形態１にかかる鼻孔用衛生具１と同様であり、粒状の合成高分子吸水剤５の粒径は、０．８ｍｍφ〜１．２ｍｍφの範囲内にあり、メッシュ４の径０．５ｍｍφよりも大きいため、粒状の合成高分子吸水剤５がメッシュ４から外に零れる恐れはない。また、貫通孔３８の内径は最も大きい最上部で約７ｍｍφ、最も小さい最下部で約５ｍｍφであり、カプセル体３７の最大径は約１５ｍｍφで、カプセル体３７の高さ（長さ）は約１５ｍｍである。このように、貫通孔３８の内径が最も細い部分でも５ｍｍφあることによって貫通孔３８を通しての呼吸がより楽になり、息苦しくなる事態を確実に防止することができる。
【０１２６】
また、カプセル体３７の上半分３７Ａも下半分３７Ｂも、黒色に着色したシリコーンゴムを射出成形してなるものであり、したがってカプセル体３７の色は底面３７ａも含めて全て黒色である。なお、本実施の形態４においては、カプセル体３７の上半分３７Ａも下半分３７Ｂも黒色に着色したシリコーンゴムからなるものとしたが、カプセル体３７の下半分３７Ｂのみを黒色に着色したシリコーンゴムを射出成形してなるものとし、カプセル体３７の上半分３７Ａは着色しない乳白色のシリコーンゴムを射出成形してなるものとしても良い。この場合にも、カプセル体３７の底面３７ａの色は、やはり黒色となる。
【０１２７】
かかる構成の本実施の形態４にかかる鼻孔用衛生具３６を、鼻風邪や花粉症が原因で鼻水が良く出る人がカプセル体３７の上側を奥にして両方の鼻孔に装着すると、カプセル体３７の上半分３７Ａが円錐台形状をしているため、上半分３７Ａが鼻孔の内壁から離れた状態となり、カプセル体３７の上半分３７Ａにはメッシュ４が形成されていることから、カプセル体３７の上半分３７Ａの全体で鼻水を吸収することができて吸水面積が広くなる。
【０１２８】
そして、鼻孔の奥から流れてきた鼻水はメッシュ４の目からカプセル体３７の内部に流れ込み、粒状の合成高分子吸水剤５に吸収される。ここで、合成高分子吸水剤５には自重の約２５０倍から約３６０倍の量の水を吸収する大きな吸水能力があるとともに、カプセル体３７に収容された粒状の合成高分子吸水剤５の間には多数の隙間が生じ、合成高分子吸水剤５が鼻水を吸収して膨張しても、すぐには隙間のない状態にはならず、カプセル体３７の下半分３７Ｂの下方に収容された粒状の合成高分子吸水剤５にも鼻水が吸収される。この結果、長時間に亘って吸水性能を維持することができる。
【０１２９】
また、貫通孔３８に鼻水が流れ込んでメッシュ４の目からカプセル体３７の内部の粒状の合成高分子吸水剤５に吸収され、その結果、合成高分子吸水剤５が膨張した場合でも、カプセル体３７の柔らかさの範囲内で多少貫通孔３８が狭くなる程度で済み、貫通孔３８が塞がれることはないので、本実施の形態４の鼻孔用衛生具３６を両方の鼻孔に装着しても息苦しくなる恐れはない。さらに、カプセル体３７は柔らかい材料であるシリコーンゴムからなるため、付け心地が快適で長時間装着しても鼻が痛くなることもない。
【０１３０】
さらに、カプセル体３７の上半分３７Ａも下半分３７Ｂも黒色に着色したシリコーンゴムからなるものとしたことによって、鼻孔用衛生具３６を両方の鼻孔に装着した場合に外部から見える底面３７ａが黒色であるため、鼻孔用衛生具３６を装着していても目立たず、他人に気付かれないか、気付かれても見苦しい印象を与えないという作用効果が得られる。したがって、長時間装着していても他人の目を気にする必要がない。
【０１３１】
なお、この鼻孔用衛生具３６を取り外す場合にも、図１（ｃ）に示される引き出し具１０を用いることによって、容易に取り外すことができる。
【０１３２】
また、カプセル体３７の上半分３７Ａと下半分３７Ｂは、図５（ａ）に示されるように、嵌め込み式で一体化されるが、一体化する際に上半分３７Ａと下半分３７Ｂを接着して鼻孔用衛生具３６全体を使い捨て方式にしても良いし、上半分３７Ａと下半分３７Ｂを再度分割できるようにして、吸水能力の低下した粒状の合成高分子吸水剤５を取出し、新しい粒状の合成高分子吸水剤５を収容して上半分３７Ａと下半分３７Ｂを一体化させることによって、カプセル体３７のみは繰り返し使用できるようにしても良い。
【０１３３】
ここで、本実施の形態４の鼻孔用衛生具３６におけるストッパー３９の作用効果について、図６を参照して説明する。
【０１３４】
図６に示されるように、人の頭部Ｈの鼻Ｎの鼻孔ＮＨの近傍を断面図として見たとき、実施の形態１にかかる鼻孔用衛生具１の上半分２Ａも円錐台形状をしているため、適切な深さに装着すれば上半分２Ａが鼻孔ＮＨの内壁から離れた状態となるが、図６（ａ）に示されるように、装着する人が鼻孔ＮＨの奥まで強く押し込み過ぎると、鼻孔用衛生具１の上半分２Ａの半周分ぐらいが鼻孔ＮＨの内壁に密着してしまい、吸水面積が減るとともに取り出し難くなる。
【０１３５】
これに対して、図６（ｂ）に示されるように、本実施の形態４の鼻孔用衛生具３６においては、上半分３７Ａの上部に４個の舌状のストッパー３９が設けられているために、鼻孔ＮＨの奥まで押し込もうとしても、弾力性のあるストッパー３９が鼻孔ＮＨの内壁に引っ掛かって押し込むことができず、適切な位置に装着される。これによって、確実に上半分３７Ａが鼻孔ＮＨの内壁から離れた状態となり、広い吸水面積を確保することができるとともに、鼻孔用衛生具３６を取出す際にも容易に取出すことができる。
【０１３６】
このようにして、本実施の形態４にかかる鼻孔用衛生具３６は、確実に全体で鼻水を吸収することができて吸水性能が長時間低下することがなく、両方の鼻孔に装着した場合でも装着者が息苦しくなることがなく、快適に装着することができるとともに、装着していても目立たず他人に気付かれないか気付かれても見苦しい印象を与えることがない。
【０１３７】
実施の形態５
次に、本発明の実施の形態５にかかる鼻孔用衛生具について、図７を参照して説明する。
【０１３８】
図７（ａ）は本発明の実施の形態５にかかる鼻孔用衛生具の縦断面図、（ｂ）は平面図である。
【０１３９】
図７（ａ），（ｂ）に示されるように、本実施の形態５にかかる鼻孔用衛生具４１は、上記実施の形態１の変形例にかかる鼻孔用衛生具１１と、全体的には同様の構成を有している。即ち、略弾丸形状の外形を有するカプセル体４２の中心軸方向に貫通孔４３が設けられており、カプセル体４２の中空部分に粒状の合成高分子吸水剤５が収容されてなる。カプセル体４２は、上半分４２Ａと下半分４２Ｂとからなり、上半分４２Ａも下半分４２Ｂもシリコーンゴムを成形してなるものであり、上半分４２Ａには貫通孔４３の内壁も含めて約０．５ｍｍφの円形の多数のメッシュ１４が形成されている。
【０１４０】
本実施の形態５にかかる鼻孔用衛生具４１が、実施の形態１の変形例にかかる鼻孔用衛生具１１と異なるのは、カプセル体４２の上半分４２Ａの外周上方に、カプセル体４２の上端が鼻孔の奥まで入らないように、３個の舌状のストッパー４４が上半分４２Ａと一体に設けられている点、及びカプセル体４２の中空部分に収容されている粒状の合成高分子吸水剤５が吸水バイオポリマー１５ではなく、汎用の合成高分子吸水剤５である点にある。
【０１４１】
後は、実施の形態１の変形例にかかる鼻孔用衛生具１１と同様に、粒状の合成高分子吸水剤５の粒径は、０．８ｍｍφ〜１．２ｍｍφの範囲内にあり、メッシュ１４の一辺の長さ０．５ｍｍよりも大きいため、粒状の合成高分子吸水剤５がメッシュ１４から外に零れる恐れはない。また、貫通孔４３の内径は最も大きい最上部で約６ｍｍφ、最も小さい中間部で約５ｍｍφであり、カプセル体４２の最大径は約１４ｍｍφで、カプセル体４２の高さ（長さ）は約１５ｍｍである。このように、貫通孔４３の内径が最も細い部分でも５ｍｍφあることによって貫通孔４３を通しての呼吸がより楽になり、息苦しくなる事態を確実に防止することができる。
【０１４２】
また、カプセル体４２の上半分４２Ａも下半分４２Ｂも、黒色に着色したシリコーンゴムを射出成形してなるものであり、したがってカプセル体４２の色は底面４２ａも含めて全て黒色である。なお、本実施の形態５においても、カプセル体４２の上半分４２Ａも下半分４２Ｂも黒色に着色したシリコーンゴムからなるものとしたが、カプセル体４２の下半分４２Ｂのみを黒色に着色したシリコーンゴムを射出成形してなるものとし、カプセル体４２の上半分４２Ａは着色しない乳白色のシリコーンゴムを射出成形してなるものとしても良い。この場合にも、カプセル体４２の底面４２ａの色は、やはり黒色となる。
【０１４３】
かかる構成の本実施の形態５の鼻孔用衛生具４１を、鼻風邪や花粉症が原因で鼻水が良く出る人がカプセル体４２の上側を奥にして両方の鼻孔に装着すると、カプセル体４２の上半分４２Ａの外周上部に舌状の３個のストッパー４４が一体に設けられているために、強い力で押し込んでも弾力性のある３個のストッパー４４が鼻孔内壁に引っ掛かって奥までは押し込まれず、適切な位置に装着される。これによって、カプセル体４２の上半分４２Ａが緩やかな円錐台形状をしているため、確実に上半分４２Ａが鼻孔の内壁から離れた状態となり、カプセル体４２の上半分４２Ａにはメッシュ１４が形成されていることから、カプセル体４２の上半分４２Ａの全体で鼻水を吸収することができて、確実に広い吸水面積を得ることができる。
【０１４４】
そして、鼻孔の奥から流れてきた鼻水はメッシュ１４の目からカプセル体４２の内部に流れ込み、粒状の合成高分子吸水剤５に吸収される。ここで、合成高分子吸水剤５には自重の約２５０倍から約３６０倍の量の水を吸収する大きな吸水能力があるとともに、カプセル体４２に収容された粒状の合成高分子吸水剤５の間には多数の隙間が生じ、合成高分子吸水剤５が鼻水を吸収して膨張しても、すぐには隙間のない状態にはならず、カプセル体４２の下半分４２Ｂに収容された粒状の合成高分子吸水剤５にも鼻水が吸収される。この結果、長時間に亘って吸水性能を維持することができる。
【０１４５】
また、貫通孔４３に鼻水が流れ込んでメッシュ１４の目からカプセル体４２の内部の粒状の合成高分子吸水剤５に吸収され、その結果、合成高分子吸水剤５が膨張した場合でも、カプセル体４２の柔らかさの範囲内で多少貫通孔４３が狭くなる程度で済み、貫通孔４３が塞がれることはないので、本実施の形態５の鼻孔用衛生具４１を両方の鼻孔に装着しても息苦しくなる恐れはない。さらに、カプセル体４２は柔らかい材料であるシリコーンゴムからなるため、付け心地が快適で長時間装着しても鼻が痛くなることもない。
【０１４６】
さらに、カプセル体４２の上半分４２Ａも下半分４２Ｂも黒色に着色したシリコーンゴムからなるものとしたことによって、鼻孔用衛生具４１を両方の鼻孔に装着した場合に外部から見える底面４２ａが黒色であるため、鼻孔用衛生具４１を装着していても目立たず、他人に気付かれないか、気付かれても見苦しい印象を与えないという作用効果が得られる。したがって、長時間装着していても他人の目を気にする必要がない。
【０１４７】
なお、この鼻孔用衛生具４１を取り外す場合にも、図１（ｃ）に示される引き出し具１０を用いることによって、容易に取り外すことができる。
【０１４８】
このようにして、本実施の形態５にかかる鼻孔用衛生具４１は、確実に全体で鼻水を吸収することができて吸水性能が長時間低下することがなく、両方の鼻孔に装着した場合でも装着者が息苦しくなることがなく、快適に装着することができるとともに、装着していても目立たず他人に気付かれないか気付かれても見苦しい印象を与えることがない。
【０１４９】
なお、カプセル体４２の上半分４２Ａと下半分４２Ｂは、図７（ａ）に示されるように、嵌め込み式で一体化されるが、一体化する際に上半分４２Ａと下半分４２Ｂを接着して鼻孔用衛生具４１全体を使い捨て方式にしても良いし、上半分４２Ａと下半分４２Ｂを再度分割できるようにして、吸水能力の低下した粒状の合成高分子吸水剤５を取出し、新しい粒状の合成高分子吸水剤５を収容して上半分４２Ａと下半分４２Ｂを一体化させることによって、カプセル体４２のみは繰り返し使用できるようにしても良い。
【０１５０】
上記各実施の形態においては、カプセル体の上半分と下半分及び衛生具本体を形成する方法として射出成形によっているが、その他の成形方法を用いても構わない。
【０１５１】
また、上記各実施の形態においては、カプセル体の上半分と下半分の材料としてシリコーンゴムを、衛生具本体の材料としてブタジエンゴムをそれぞれ用いた場合についてのみ説明したが、天然ゴム，イソプレンゴム，クロロプレンゴム，イソブチレン−イソプレンゴム，ニトリルゴム，スチレン−ブタジエンゴム，エチレン−プロピレンゴム，フッ素ゴム，アクリルゴム，ヒドリンゴム，クロロスルホン化ポリエチレン，塩素化ポリエチレン，エチレン−アクリルゴム，プロピレンオキシドゴム等のエラストマーを始めとして、柔らかく丈夫な材料であれば、ナイロン樹脂，塩化ビニル樹脂，ビニロン樹脂等の合成樹脂等を用いることもできる。
【０１５２】
さらに、上記各実施の形態においては、カプセル体の上半分と下半分及び衛生具本体には生分解性のない材料を使用した場合についてのみ説明したが、カプセル体の上半分と下半分及び衛生具本体に生分解性高分子材料、即ち、生体内で或いは微生物の作用により分解される高分子材料、具体的にはコラーゲン，澱粉等のたんぱく質や多糖類等、ポリグリコール酸，ポリ乳酸，ポリエチレンスクシナート等の脂肪族ポリエステルを用いて、合成高分子吸水剤として生分解性を有する吸水バイオポリマーを用いることによって、鼻孔用衛生具を構成する材料が全て生分解性を有するため、使い終わって捨てる場合でも燃えるごみや不燃性ごみとして処分する必要がなく、そのまま地面に放置したり土の中に埋めたりすれば自然に分解して土に帰るため、自然環境に一切負荷を与えることなく処分することができ、現在深刻な問題となっている地球規模の環境汚染の解決にもなる。
【０１５３】
また、上記各実施の形態においては、カプセル体に収容する合成高分子吸水剤として粒状の合成高分子吸水剤（吸水バイオポリマーを含む）を用いた場合について説明したが、シート状の、或いは繊維状の合成高分子吸水剤を収容することもできる。
【０１５４】
本発明を実施するに際しては、鼻孔用衛生具のその他の部分の構成、形状、数量、材質、大きさ、接続関係等についても、上記各実施の形態に限定されるものではない。
【図面の簡単な説明】
【０１５５】
【図１】図１（ａ）は本発明の実施の形態１にかかる鼻孔用衛生具の縦断面図、（ｂ）は平面図、（ｃ）は本発明の実施の形態１にかかる鼻孔用衛生具の引き出し具を示す図である。
【図２】図２（ａ）は本発明の実施の形態１の変形例にかかる鼻孔用衛生具の縦断面図、（ｂ）は平面図である。
【図３】図３（ａ）は本発明の実施の形態２にかかる鼻孔用衛生具の縦断面図、（ｂ）は平面図である。
【図４】図４（ａ）は本発明の実施の形態３にかかる鼻孔用衛生具の縦断面図、（ｂ）は平面図である。
【図５】図５（ａ）は本発明の実施の形態４にかかる鼻孔用衛生具の縦断面図、（ｂ）は平面図である。
【図６】図６（ａ）は上記実施の形態１にかかる鼻孔用衛生具を鼻孔の奥まで押し込んだ状態を示す人の鼻孔近傍の縦断面図、（ｂ）は本発明の実施の形態４にかかる鼻孔用衛生具を鼻孔に装着した状態を示す人の鼻孔近傍の縦断面図である。
【図７】図７（ａ）は本発明の実施の形態５にかかる鼻孔用衛生具の縦断面図、（ｂ）は平面図である。
【符号の説明】
【０１５６】
１，１１，２１，３１，３６，４１  鼻孔用衛生具
２，１２，２２，３７，４２  カプセル体
２Ａ，１２Ａ，２２Ａ，３７Ａ，４２Ａ  上半分
２ａ，１２ａ，２２ａ，３２ａ，３７ａ，４２ａ  底面
３，１３，３３，３８，４３  貫通孔
４，１４，２４  メッシュ
５  合成高分子吸水剤
１５，３４  合成高分子吸水剤（吸水性バイオポリマー）
２３  縦溝
３２  衛生具本体
３９，４４  ストッパー
ＮＨ  鼻孔
【図１】
2007068598.tif 000003
【図２】
2007068598.tif 000004
【図３】
2007068598.tif 000005
【図４】
2007068598.tif 000006
【図５】
2007068598.tif 000007
【図６】
2007068598.tif 000008
【図７】
2007068598.tif 000009